(57)【要約】【課題】  壁面部の屈曲、湾曲および段差などによって各保持体の相対的な取付け位置または姿勢が異なる場合であっても、各保持体によって導水受板の両側部を水密に保持して設置することができる取付け性が向上された導水装置を提供する。【解決手段】  構造物Ｂの壁面部６ａ，６ｂに水密に固定され、相互に間隔をあけかつ壁面部６ａ，６ｂに沿って平行に延びる、第１の合成樹脂から成る一対の保持体２ａ，２ｂと、一対の保持体２ａ，２ｂ間に、壁面部６ａ，６ｂから離間して配置される長手板状の導水受板５であって、長手方向に垂直な幅方向の一側部４ａが一方の保持体２ａに水密に保持されるとともに、幅方向の他側部４ｂが他方の保持体２ｂに水密に保持され、第１の合成樹脂よりも硬さの小さい第２の合成樹脂と、第１の合成樹脂とから成る導水受板５とによって、導水装置を構成する。【選択図】      図１
2014088706.tif 000002
【特許請求の範囲】
【請求項１】
構造物の壁面部に水密に固定され、相互に間隔をあけかつ前記壁面部に沿って平行に延びる、第１の合成樹脂から成る一対の保持体と、
前記一対の保持体間に、前記壁面部から離間して配置される長手板状の導水受板であって、長手方向に垂直な幅方向の一側部が一方の保持体に水密に保持されるとともに、前記幅方向の他側部が他方の保持体に水密に保持され、前記第１の合成樹脂よりも硬さの低い第２の合成樹脂と、前記第１の合成樹脂とから成る導水受板と、を含むことを特徴とする導水装置。
【請求項２】
前記導水受板は、前記幅方向両側部の硬さが、該幅方向両側部間の中間部の硬さよりも高いことを特徴とする請求項１に記載の導水装置。
【請求項３】
前記第１の合成樹脂は、硬さがＡ９０以上、Ａ９５以下であり、
前記第２の合成樹脂は、硬さがＡ６５以上、Ａ７５以下であることを特徴とする請求項１または２に記載の導水装置。
【発明の詳細な説明】
【技術分野】
【０００１】
本発明は、道路トンネルおよび擁壁などの構造部の壁面部に設けられ、構造物の目地およびクラックからの漏水を排水溝など排水設備へ導く導水装置に関する。
【背景技術】
【０００２】
典型的な従来技術の導水装置は、たとえば特許文献１に示されている。この従来技術の導水装置は、道路軸線方向に５００ｍｍ毎に等間隔をあけて構造物の壁面部に平行に設けられる一対の長手の保持体と、前記一対の保持体によって前記長手方向に垂直な幅方向両側部が保持される導水受板とを含んで構成される。
【０００３】
各保持体は、保持体と、保持体の幅方向両側部に設けられる一対のシール部材とを有する。保持体の幅方向両側部間の幅方向中間部には、凹所が前記保持体の長手方向に延びて形成され、この凹所内には、前記構造物に打ち込まれたアンカー体の頭部が突出し、この頭部にナットが螺着されて、各保持体が壁面部に固定される。
【０００４】
前記構造物は、道路トンネルの覆工コンクリート壁であって、この覆工コンクリート壁の壁面部の目地部に沿って、前記導水装置が設けられている。
【０００５】
前記保持体の凹所は、構造物の壁面部とは反対側の道路トンネル内の空間に臨んで開放し、この凹所の幅方向両側には、該幅方向の外側方に臨んで開放する断面凹状の一対の嵌合保持部が設けられる。各嵌合保持部には、導水受板の幅方向一側部および幅方向他側部がそれぞれ嵌まり込んで保持され、導水受板と壁面部との間に水密な導水空間が前記長手方向に延びて形成される。
【０００６】
導水空間には、覆工コンクリート壁の目地部およびクラックなどから漏出した漏水が流れ込んで集水される。導水空間内に流れ込んだ水は、導水装置の長手方向両端部の開口に導かれて、路面両側の路側帯に設けられる上部排水溝に排出される。上部排水溝の下には、暗渠排水溝が設けられ、暗渠排水溝内の水は、図示しない排水管へ導かれて河川などへ放流される。
【０００７】
前記保持体は、硬質ポリ塩化ビニルなどの硬質合成樹脂の押出し形材から成る長尺材によって実現される。またシール部材は、独立気泡の発泡合成樹脂と合成ゴムとの２層構造の長尺材によって実現される。また導水受板は、耐侯性および耐薬品性を有する硬質合成樹脂からなり、厚みが２ｍｍ程度の帯状パネルによって実現される。
【先行技術文献】
【特許文献】
【０００８】
【特許文献１】特許第２９１６４０７号公報
【発明の概要】
【発明が解決しようとする課題】
【０００９】
前記特許文献１に記載される従来技術では、保持体が硬質ポリ塩化ビニルの押出し形材によって実現され、導水受板が耐侯性および耐薬品性を有する硬質合成樹脂から成る帯状パネルによって実現され、保持体および導水受板は、いずれも硬さが高い合成樹脂材料によって形成されている。
【００１０】
そのため、各保持体および導水受板が取付けられる構造物の壁面部の壁面が、導水受板の幅方向（すなわち水平方向）に関して、該壁面を正面に見て手前側に凸（出隅）または凹（入隅）に屈曲または湾曲している場合、および一方の保持体が取付けられる壁面部と、他方の保持体が取付けられる壁面部との間に段差がある場合には、一方の壁面部に固定される一方の保持体と、他方の壁面部に固定される他方の保持体とにわたって前記導水受板を大きく湾曲させることができないため、そのような場所には導水装置を設置することができないという問題がある。
【００１１】
また、導水装置が取付けられた設置当初の状態は、壁面部が前記幅方向に大きな屈曲、湾曲または段差がない場合であっても、設置後に地震または地盤すべりなどによって、一方の保持体と他方の保持体とが大きな相対変位を生じると、導水受板が容易に破損してしまうという問題がある。
【００１２】
本発明の目的は、壁面部の屈曲、湾曲および段差などによって各保持体の相対的な取付け位置または姿勢が異なる場合であっても、各保持体によって導水受板の両側部を水密に保持して設置することができる取付け性が向上された導水装置を提供することである。
【課題を解決するための手段】
【００１３】
本発明は、構造物の壁面部に水密に固定され、相互に間隔をあけかつ前記壁面部に沿って平行に延びる、第１の合成樹脂から成る一対の保持体と、
前記一対の保持体間に、前記壁面部から離間して配置される長手板状の導水受板であって、長手方向に垂直な幅方向の一側部が一方の保持体に水密に保持されるとともに、前記幅方向の他側部が他方の保持体に水密に保持され、前記第１の合成樹脂よりも硬さの低い第２の合成樹脂と、前記第１の合成樹脂とから成る導水受板と、を含むことを特徴とする導水装置である。
【００１４】
また本発明は、前記導水受板は、前記幅方向両側部の硬さが、該幅方向両側部間の中間部の硬さよりも高いことを特徴とする。
【００１５】
さらに本発明は、前記第１の合成樹脂は、硬さがＡ９０以上、Ａ９５以下であり、
前記第２の合成樹脂は、硬さがＡ６５以上、Ａ７５以下であることを特徴とする。
【発明の効果】
【００１６】
本発明によれば、構造物の壁面部に第１の合成樹脂から成る一対の保持体が水密に固定され、一方の保持体には、前記第１の合成樹脂よりも硬さの低い第２の合成樹脂を含んで成る導水受板の一側部が水密に保持され、他方の保持体には、前記導水受板の他側部が水密に保持される。
【００１７】
このように前記導水受板が各保持体よりも硬さの低い第２の合成樹脂を含んで成るので、壁面部の凹凸および段差などによって各保持体の相対的な取付け位置および姿勢が異なる場合であっても、各保持体によって導水受板の両側部を水密に保持して設置することができ、各保持体間であってかつ壁面部と導水受板との間に、導水空間を形成することができる。
【００１８】
したがって、壁面部の屈曲、湾曲および段差などによって各保持体の相対的な取付け位置または姿勢が異なる場合であっても、各保持体によって導水受板の両側部を水密に保持して設置することができる取付け性が向上された導水装置を実現し、構造物の壁面部に生じたひび割れ、目地などの隙間から水が漏出しても、その水は、導水空間から漏洩することなく重力の作用によって該導水空間内を下方へ流れ、導水空間の下端から、たとえば構造物に構築されている排水溝などの排水設備へ導いて排水することができる。
【００１９】
また本発明によれば、前記導水受板は、前記幅方向両側部の硬さが、該幅方向両側部間の中間部の硬さよりも高いので、導水受板の幅方向中間部に比べて硬さの高い一側部が前記一方の保持体によって保持され、他側部が前記他方の保持体によって保持され、これによって導水受板の両側部を、該導水受板の長手方向全長にわたってほぼ均一に各保持体に接触させ、導水受板の両側部と各保持体との間のより確実な水密性を達成することができる。
【００２０】
さらに本発明によれば、前記第１の合成樹脂の硬さがＡ９０以上、Ａ９５以下であり、前記第２の合成樹脂の硬さがＡ６５以上、Ａ７５以下であるので、地震によって構造物の目地間内でずれが発生しても、そのずれを導水受板が容易に変形することによって吸収することができ、各保持体が構造物から脱落してしまうことが防がれ、地震などによる構造物の変位に対する取付け安定性を向上することができる。
【図面の簡単な説明】
【００２１】
【図１】本発明の一実施形態の導水装置１の構成を示す断面図である。
【図２】図１の下方から見た導水装置１の一部の正面図である。
【図３】導水装置１が構造物Ｂに取付けられた状態を示す断面図である。
【図４】導水装置１が設置される構造物Ｂが目地８を境に変位して段差Ｂ１を生じたときの取付け状態を示す断面図である。
【図５】導水装置１が内側に凸に突出した出隅部Ｂ２に取付けられた状態を示す斜視図である。
【図６】本発明の他の実施形態の導水装置１ａを示す断面図である。
【発明を実施するための形態】
【００２２】
図１は、本発明の一実施形態の導水装置１の構成を示す断面図であり、図２は図１の下方から見た導水装置１の一部の正面図である。本実施形態の導水装置１は、長尺材である一対の保持体２ａ，２ｂと、各保持体２ａ，２ｂに、たとえば接着剤による接着または両面粘着テープによる粘着によって固定されるシール材３ａ，３ｂと、各保持体２ａ，２ｂに図１の左右方向である幅方向一側部４ａおよび幅方向他側部４ｂが水密に保持される長手板状の導水受板５と、各保持体２ａ，２ｂを構造物Ｂの壁面部６ａ，６ｂに固定する複数のアンカー体７ａ，７ｂとを含む。
【００２３】
図３は、導水装置１が構造物Ｂに取付けられた状態を示す断面図である。前記構造物Ｂは、道路トンネルの覆工コンクリート壁であって、その内周の壁面部６ａ，６ｂには、前記導水装置１が図３の紙面に垂直な道路軸線ＣＬに沿って、たとえば施工目地である目地８毎に該目地８を跨ぐように設置される。このような導水装置１によって、各保持体２ａ，２ｂ間であって、かつ各壁面部６ａ，６ｂと導水受板５との間および目地８と導水受板５との間には、導水空間１０が形成される。
【００２４】
各導水装置１の導水空間１０には、壁面部６ａ，６ｂに生じたクラックおよび目地８からの漏水が流れ込んで集水され、その水は導水空間１０内を重力によって下方へ流れ落ち、導水空間１０の下端から路側帯に設けられる上部排水溝１２ａ，１２ｂに排出される。上部排水溝１２ａ，１２ｂに排出された水は、各上部排水溝１２ａ，１２ｂから暗渠排水溝１３ａ，１３ｂに落とし込まれ、図示しない排水処理設備に導かれて処理される。なお、本実施形態において、前記水は土砂などの固形粒子およびごみなどの異物が混入した流動物である。
【００２５】
前記一対の保持体２ａ，２ｂは、道路軸線ＣＬ方向（図２では左右方向）に間隔Ｗをあけて各壁面部６ａ，６ｂの壁面に沿って平行に設けられる。構造物Ｂには、複数のアンカー体７ａ，７ｂが壁面部６ａ，６ｂに沿って、各保持体２ａ，２ｂの長手方向に間隔ΔＬをあけ、かつ道路軸線ＣＬ方向に前記間隔Ｗをあけて打ち込まれて埋設される。前記間隔ΔＬは、たとえば３００〜５００ｍｍに選ばれる。また、前記道路軸線ＣＬ方向の間隔Ｗは、たとえば３００〜１０００ｍｍに選ばれる。
【００２６】
各アンカー体７ａ，７ｂは、構造物Ｂ内に埋設される円筒部７１の軸線方向一端部に周方向に分断された複数の拡開片７２が一体的に形成され、円筒部７１の軸線方向他端部には外ねじが刻設されるねじ部７３を有する中空のアンカースリーブ７４と、軸線方向一端部に前記拡開片７２に挿入される円錐台状のテーパ部７５が設けられるアンカーロッド７６と、アンカースリーブ７４の前記ねじ部７３に螺着されるナット７７とを有する。これらのアンカースリーブ７４、アンカーロッド７６およびナット７７は、たとえばステンレス鋼から成る。
【００２７】
このようなアンカー体７ａ，７ｂは、構造物Ｂにコンクリートドリルなどの穿孔工具によって穿孔して予め下穴を形成し、この下穴に前記アンカースリーブ７４を打ち込むことによって前記テーパ部７５が拡開片７２を半径方向外方へ押し開いて拡開させ、拡開した拡開片７２が周囲のコンクリートに噛み込むことによって、アンカースリーブ７４が構造物Ｂに固定される。
【００２８】
前述のようにアンカースリーブ７４が構造物Ｂに固定された状態では、アンカースリーブ７４の前記ねじ部７３が壁面部６ａ，６ｂの壁面からほぼ垂直に突出し、この突出部分は保持体２ａ，２ｂの幅方向のほぼ中央部を貫通し、保持体２ａ，２ｂから突出する。アンカースリーブ７４の保持体２ａ，２ｂから突出する部分には、座金７８が装着された後、前記ナット７７が螺着されて締付けられ、こうして保持体２ａ，２ｂが各アンカー体７ａ，７ｂによって構造物Ｂの壁面部６ａ，６ｂに固定される。
【００２９】
前記保持体２ａ，２ｂは、その長手方向に垂直な断面が略Ｕ字状に形成され、道路軸線ＣＬ方向に互いに開口を対向させて設置される。各保持体２ａ，２ｂの壁面部６ａ，６ｂに対向する背面には、前記シール材３ａ，３ｂが設けられる。各シール材３ａ，３ｂは、該保持体２ａ，２ｂの長手方向全長にわたって貼り付けられ、両面粘着テープによって実現される粘着シート１６ａ，１６ｂと、粘着シート１６ａ，１６ｂによって各保持体２ａ，２ｂに貼り付けられ、発泡合成樹脂から成るシール部材１７ａ，１７ｂとを有する。
【００３０】
各保持体２ａ，２ｂは、第３の合成樹脂としての熱可塑性合成樹脂である硬質ポリ塩化ビニル（ＰＶＣ）の押出し形材から成り、長さがたとえば４．０〜１２．０ｍの長尺材によって実現される。第３の合成樹脂と後述する第４の合成樹脂とを併せて、第１の合成樹脂と総称する。
【００３１】
前記硬質ポリ塩化ビニルの物性は、次の表１に示すとおりである。なお、硬質ポリ塩化ビニルには、後述の軟質合成樹脂と同様に、難燃性を付与するための添加剤として、三酸化アンチモンおよび炭酸カルシウムが添加され、耐候性を付与するための添加剤として、ベンゾトリアゾール系紫外線吸収剤が添加され、柔軟性を付与するための添加剤として、フタル酸ジイソノニル（略称ＤＩＮＰ）およびアジビル酸ジオクチル（略称ＤＯＡ）が添加されており、その状態で、ＪＩＳ Ｋ ６２５３に基づいて、温度２３℃でデュロメータによって測定した硬さがＡ９０〜Ａ９５である。
【００３２】
【表１】
2014088706.tif 000003
【００３３】
また、前記導水受板５は、前述したように、幅方向両側部４ａ，４ｂと、幅方向両側部４ａ，４ｂ間の幅方向中間部４ｃとを有する。該導水受板５の幅方向中間部４ｃは、第２の合成樹脂としての軟質ポリ塩化ビニルから成り、導水受板５の幅方向両側部４ａ，４ｂは、第４の合成樹脂としての半硬質ポリ塩化ビニルから成る。第２の合成樹脂は、第１の合成樹脂に比べて硬さが低い。導水受板５の幅方向両側部４ａ，４ｂは、半硬質ポリ塩化ビニルから成り、その物性は、次の表２に示すとおりである。
【００３４】
なお、半硬質ポリ塩化ビニルには、後述の軟質合成樹脂と同様に、難燃性を付与するための添加剤として、三酸化アンチモンおよび炭酸カルシウムが添加され、耐候性を付与するための添加剤として、ベンゾトリアゾール系紫外線吸収剤が添加され、柔軟性を付与するための添加剤として、フタル酸ジイソノニル（略称ＤＩＮＰ）およびアジビル酸ジオクチル（略称ＤＯＡ）が添加されており、その状態で、ＪＩＳ Ｋ ６２５３に基づいて、温度２３℃でデュロメータによって測定した硬さがＡ９０〜Ａ９５である。
【００３５】
【表２】
2014088706.tif 000004
【００３６】
また、導水受板５の幅方向中間部４ｃは、軟質ポリ塩化ビニルから成り、その物性は、次の表３に示すとおりである。
【００３７】
【表３】
2014088706.tif 000005
【００３８】
本実施形態の導水装置１において、導水受板５の幅方向中間部４ｃに用いられる軟質ポリ塩化ビニルは、ＪＩＳ Ｋ ６２５３に基づいて、温度２３℃でデュロメータによって測定した硬さがＡ７５であったが、難燃性を付与するための添加剤として、三酸化アンチモンおよび炭酸カルシウムが添加され、耐候性を付与するための添加剤として、ベンゾトリアゾール系紫外線吸収剤（商品名：チヌビン（登録商標））が添加され、さらに柔軟性を付与するための添加剤として、フタル酸ジイソノニル（略称ＤＩＮＰ）およびアジビル酸ジオクチル（略称ＤＯＡ）が添加されることを考慮して、軟質ポリ塩化ビニルの硬さは、Ａ６０以上、Ａ７５以下に選ばれ、好ましくはＡ７０に選ばれる。
【００３９】
このように本実施形態の導水装置１では、記導水受板５の幅方向中間部４ｃは、軟質ポリ塩化ビニルから成るので、保持体２ａ，２ｂの間隔Ｗを変更することによって、導水受板５の撓みに変化を生じさせて、導水深さを変更できる。したがって、従来の工法のように、シール材の厚みによって勾配を形成することなく、容易に勾配を設けることが出来るので、容易に水を滞留させることなく流すことができる。
【００４０】
図４は、導水装置１が設置される構造物Ｂが目地８を境に変位して段差Ｂ１を生じたときの取付け状態を示す断面図である。上記のように、前記導水受板５の幅方向中間部４ｃが各保持体２ａ，２ｂよりも硬さの低い第２の合成樹脂から成るので、壁面部６ａ，６ｂ間で図４に示すように段差Ｂ１を生じ、各保持体２ａ，２ｂの相対的な取付け位置および姿勢が異なる場合であっても、各保持体２ａ，２ｂによって導水受板５の両側部４ａ，４ｂを水密に保持して設置することができ、各保持体２ａ，２ｂ間であってかつ壁面部６ａ，６ｂと導水受板５との間に水密な導水空間１０を形成することができる。
【００４１】
したがって、構造物Ｂの壁面部６ａ，６ｂに生じたひび割れ、目地８などの隙間から水が漏出しても、その水は、導水空間１０から漏洩することなく重力の作用によって該導水空間１０内を下方へ流れ、導水空間１０の下端から、構造物Ｂに構築されている排水溝である上部排水溝１２ａ，１２ｂおよび暗渠排水溝１３ａ，１３ｂから図示しない排水設備へ導かれて排水処理される。
【００４２】
このように、壁面部６ａ，６ｂの屈曲、湾曲および段差などによって各保持体２ａ，２ｂの相対的な取付け位置または姿勢が異なる場合であっても、各保持体２ａ，２ｂによって導水受板５の両側部４ａ，４ｂを水密に保持して設置することができ、取付け性が向上された導水装置１を提供することができる。
【００４３】
また、前記導水受板５は、幅方向両側部４ａ，４ｂの硬さが、該幅方向両側部４ａ，４ｂ間の中間部４ｃの硬さよりも高いので、導水受板５の幅方向中間部４ｃに比べて硬さの高い一側部４ａが前記一方の保持体２ａによって保持され、他側部４ｂが他方の保持体２ｂによって保持される。
【００４４】
これによって導水受板５の両側部４ａ，４ｂを、該導水受板５の長手方向全長にわたってほぼ均一に各保持体２ａ，２ｂに接触させ、導水受板５の両側部４ａ，４ｂと各保持体２ａ，２ｂとの間のより確実な水密性を達成することができる。
【００４５】
さらに、第１の合成樹脂である前述の硬質合成樹脂および半硬質合成樹脂、ならびに第２の合成樹脂である軟質合成樹脂には、上記のように難燃剤が添加されるので、構造物Ｂ内で火災などが発生しても、その火炎または熱によって各保持体２ａ，２ｂおよび導水受板５に着火し、各保持体２ａ，２ｂおよび導水受板５が燃焼してしまうことが防がれ、火災に対する安全性を向上することができる。
【００４６】
図５は、導水装置１が内側に凸に突出した出隅部Ｂ２に取付けられた状態を示す斜視図である。上記のように、前記導水受板５の幅方向中間部４ｃが各保持体２ａ，２ｂよりも硬さの低い第２の合成樹脂から成るので、壁面部６ａ，６ｂ間で図５に示すように出隅部Ｂ２を生じ、各保持体２ａ，２ｂの相対的な取付け位置および姿勢が異なる場合であっても、各保持体２ａ，２ｂによって導水受板５の両側部４ａ，４ｂを水密に保持して設置することができ、各保持体２ａ，２ｂ間であってかつ壁面部６ａ，６ｂと導水受板５との間に水密な導水空間１０を形成することができる。
【００４７】
したがって、構造物Ｂの壁面部６ａ，６ｂに生じたひび割れ、目地８などの隙間から水が漏出しても、その水は、導水空間１０から漏洩することなく重力の作用によって該導水空間１０内を下方へ流れ、導水空間１０の下端から、構造物Ｂに構築されている排水溝である上部排水溝１２ａ，１２ｂおよび暗渠排水溝１３ａ，１３ｂから図示しない排水設備へ導かれて排水処理される。
【００４８】
また、前記導水受板５は、幅方向両側部４ａ，４ｂの硬さが、該幅方向両側部４ａ，４ｂ間の中間部４ｃの硬さよりも高いので、導水受板５の幅方向中間部４ｃに比べて硬さの高い一側部４ａが前記一方の保持体２ａによって保持され、他側部４ｂが他方の保持体２ｂによって保持される。
【００４９】
これによって導水受板５の両側部４ａ，４ｂを、該導水受板５の長手方向全長にわたってほぼ均一に各保持体２ａ，２ｂに接触させ、導水受板５の両側部４ａ，４ｂと各保持体２ａ，２ｂとの間のより確実な水密性を達成し、導水空間１０から外部への水などの液体の漏洩を防止することができるとともに、出隅部Ｂ２が露出しないようにして、車両や通行者が出隅部Ｂ２に直接に接触することを防ぎ、当接物および被当接物の間に緩衝効果を付与することができる。
【００５０】
本発明の他の実施形態では、前記出隅部Ｂ２に代えて、各壁面部６ａ，６ｂが奥行き方向に凸の入隅部であっても、本発明に係る導水装置１を設置して、漏出した水を導水空間１０によって所定に排水設備へ導くことができるとともに、前記入隅部を導水受板５によって覆い、意匠上の美観を向上することができる。
【００５１】
図６は、本発明の他の実施形態の導水装置１ａを示す断面図である。なお、前述の実施形態に対応する部分には、同一の参照符を付し、重複する説明は省略する。本実施形態の導水装置１ａでは、一対の保持体２ａ，２ｂは、２枚の細幅の板状体２ａ１，２ａ２；２ｂ１，２ｂ２から成り、構造物Ｂの壁面部６ａ，６ｂ側に臨んで配置される板状体２ａ１，２ｂ１には、接着剤によってシール部材１７ａ，１７ｂがそれぞれ接着されて取付けられる。
【００５２】
前記導水受板５は、前述の実施形態と同様に、幅方向両側部４ａ，４ｂと、幅方向両側部４ａ，４ｂ間の幅方向中間部４ｃとを有する。該導水受板５の幅方向中間部４ｃは、第２の合成樹脂としての軟質ポリ塩化ビニルから成り、導水受板５の幅方向両側部４ａ，４ｂは、第４の合成樹脂としての半硬質ポリ塩化ビニルから成る。
【００５３】
各保持体２ａ，２ｂは、２枚の板状体２ａ１，２ａ２；２ｂ１，２ｂ２から成るので、導水受板５の一側部４ａは、一方側で対を成す２枚の板状体２ａ１，２ａ２によって挟着され、他側部４ｂは、他方側で対を成す２枚の２ｂ１，２ｂ２によって挟着された状態で、アンカー体７ａ，７ｂによって壁面部６ａ，６ｂにそれぞれ押付けられた状態で、水密に固定される。
【００５４】
このように構成される本実施形態においても、前述の実施形態と同様に、構造物Ｂの壁面部６ａ，６ｂに生じたひび割れ、目地８などの隙間から水が漏出しても、その水は、導水空間１０から漏洩することなく重力の作用によって該導水空間１０内を下方へ流れ、導水空間１０の下端から排出することができる。
【００５５】
本発明のさらに他の実施形態では、導水受板５は、透光性のある軟質・半硬質塩化ビニル材を用いてもよい。なお、ポリカーボネート（略称ＰＣ）は、アルカリに弱いため、コンクリート面に接するところでは使用しないことが好ましい。
【００５６】
本実施形態において、「透光性」とは、光が透過するが、透過する光が拡散されるため、または透過率が低いために、導水受板５を通して向こう側、すなわち導水空間１０内の物体の形状等を明確には認識できないが存在の有無は認識し得る状態、および透過率が高いために、導水受体５を通してその向こう側が透けて見える状態をいう。
【００５７】
このような透光性を有する合成樹脂から成る導水受板５を用いることによって、壁面部６ａ，６ｂから剥奪したコンクリートの破片、凍結によって生じた氷、およびその他の物体の有無を導水受板５を通して確認することができる。
【００５８】
また、各保持体２ａ，２ｂを第１の合成樹脂として、ＪＩＳ Ｋ ６２５３に基づいて、温度２３℃でデュロメータによって測定した硬さがＡ９０以上、Ａ９５以下のポリ塩化ビニル製とし、導水受板５の幅方向中間部４ｃを第２の合成樹脂として、ＪＩＳ Ｋ ６２５３に基づいて、温度２３℃でデュロメータによって測定した硬さがＡ６５以上、Ａ７５以下のポリカーボネート製とすることによって、前述の実施形態と同様に、地震などによる目地８間のずれ、伸縮、変位を許容することができる。
【００５９】
本発明のさらに他の実施形態では、導水受板５を前述のポリ塩化ビニルなどの硬質合成樹脂または透光性を有するアクリル樹脂から成るパネルを厚み方向に間隔をあけて２層または３層に積層し、各パネル間に断熱空間を形成した構成であってもよい。
【００６０】
これによって、寒冷地などで冬季に導水空間１０内に流れ込んだ水が凍結することが防がれ、水の凍結時の膨張によって導水受板５が破損してしまうことを防止することができる。さらに前記パネルとして透光性を有する合成樹脂製とすることによって、導水空間１０内を外部から認識することができるようになり、導水空間１０内の凍結の有無などを確認することができる。
【００６１】
また、各保持体２ａ，２ｂを第１の合成樹脂として、ＪＩＳ Ｋ ６２５３に基づいて、温度２３℃でデュロメータによって測定した硬さがＡ９０以上、Ａ９５以下のポリ塩化ビニル製とし、導水受板５の幅方向中間部４ｃを第２の合成樹脂として、ＪＩＳ Ｋ ６２５３に基づいて、温度２３℃でデュロメータによって測定した硬さがＡ６５以上、Ａ７５以下のアクリル樹脂製とすることによって、前述の実施形態と同様に、地震などによる目地８間のずれ、伸縮、変位を許容することができる。
【００６２】
さらに他の実施形態では、前記導水受板５は、たとえばアクリル樹脂と軟質ポリ塩化ビニルとが混合された耐侯性および耐薬品性を有する熱可塑性樹脂の押出し形材によって実現されてもよい。このようにアクリル樹脂を軟質ポリ塩化ビニルに混合することによって、前述の各実施形態と同様に、アクリル樹脂によって耐衝撃性を高め、硬質ポリ塩化ビニルの耐衝撃性を向上することができる。
【符号の説明】
【００６３】
１，１ａ  導水装置
２ａ，２ｂ  保持体
３ａ，３ｂ  シール材
４ａ，４ｂ  側部
５  導水受板
６ａ，６ｂ  壁面部
７ａ，７ｂ  アンカー体
８  目地
１０  導水空間
１２ａ，１２ｂ  上部排水溝
１３ａ，１３ｂ  暗渠排水溝
Ｂ  構造物
ＣＬ  道路軸線
ΔＬ  間隔
Ｗ  間隔
【図１】
2014088706.tif 000006
【図２】
2014088706.tif 000007
【図３】
2014088706.tif 000008
【図４】
2014088706.tif 000009
【図５】
2014088706.tif 000010
【図６】
2014088706.tif 000011